(57)【特許請求の範囲】
【請求項１】
内側から外周側に向けてコーン、フランジ、ドッグクラッチ歯列、該歯列の歯元面及びヘリカル歯列が、この順に夫々熱間鍛造及び冷間鍛造によって同心円状に一体成形され、
前記フランジは前記コーンの外周面に接して設けられると共に、
前記コーンは、内周には軸方向に軸孔が貫通し、かつ前記フランジの上面から軸方向上方に突設され、
前記ドッグクラッチ歯列の歯底面は、前記フランジの上面の周端部から下方に向けて軸方向と平行に設けられ、
前記歯元面は、前記歯底面に接し、軸方向直角に設けられると共に、前記フランジの上面より低く設けられ、
前記歯底面における前記フランジの上面寄りに、前記歯底面から外周方向に突出して設けられ、スリーブ歯の端面を当接させてストパー機能を果たす凸部が設けられていることを特徴とする変速機用歯車。
【請求項２】
前記ドッグクラッチ歯列における各ドッグクラッチ歯の間の全てに前記凸部を設けることを特徴とする請求項１記載の変速機用歯車。
【請求項３】
前記ドッグクラッチ歯列のチャンファの先端が前記ヘリカル歯列の歯端面より軸方向で低いことを特徴とする請求項１記載の変速機用歯車。
【発明の詳細な説明】
【技術分野】
【０００１】
この発明は、主としてマニュアルの自動車変速機用の歯車に関し、ドッグクラッチ歯近傍にシフト操作時にストッパ機能を有する凸部を形成した変速機用歯車に関する。詳しくは、マニュアルトランスミッションに使用される変速機用歯車において、ドッグクラッチ歯の歯列の中に歯底面から僅かに突出した凸部を全周に亘って形成することによって、シフト操作時にこれらの凸部に相手側のスリーブ歯を当接させてストッパ機能を持たせるようにした変速機用歯車に関するものである。
【背景技術】
【０００２】
マニュアルトランスミッションに使用する変速機用歯車のドッグクラッチ歯において、シフト操作時には相手側のスリーブ歯をどこかでストップさせることが必要であり、そのストッパには以下の３方法が採用されている。第一は、変速機用歯車のヘリカル歯等のスピード歯における歯端面に相手側のスリーブ歯を当接させる方法である。第二は、変速機用歯車のドッグクラッチ歯における端面にスリーブ歯を当接させる方法である。第三は、スリーブ歯をシフトさせるレバーにストッパの機能を設ける方法である。先ず、第一のスピード歯における端面に相手側のスリーブ歯を当接させる方法について図７を参照しながら説明する。図の左側が変速機用歯車Ｗであり、図の右側が相手側のスリーブ歯Ｓとこれを矢印Ａ方向にシフトさせるレバーＲである。左側の変速機用歯車Ｗの外周には、スピード歯のヘリカル歯１の歯列が設けられ、その上端はドッグクラッチ歯２の歯元面４がドーナツ状に形成される。そして、内径側には相手側のスリーブ歯Ｓと噛合うドッグクラッチ歯２の歯列が歯元面４の面から立ち上がる。一方、右側のスリーブ歯Ｓの左端には端面Ｓ１を有し、レバーＲによってスリーブ歯Ｓが矢印Ａ方向にシフト移動する際に、相手側のスリーブ歯Ｓの端面Ｓ１が左側変速機用歯車Ｗの歯元面４に当接して止まる。
【０００３】
これらの三方法中で、第二のドッグクラッチ歯の端面にスリーブ歯Ｓを当接させる方法が多く採用されており、図８を参照しながら説明する。同様に、図の左側が変速機用歯車Ｗで、図の右側が相手側のスリーブ歯Ｓである。同様に、左側の変速機用歯車Ｗの外周には、スピード歯のヘリカル歯１の歯列が設けられ、内径側には相手側のスリーブ歯Ｓと嵌め合うドッグクラッチ歯２の歯列が設けられる。そして、ドッグクラッチ歯２の歯列の上端面は内側にフランジ８がドーナツ状に形成される。一方、右側のスリーブ歯Ｓの左端には端面Ｓ２を有し、レバーＲによってスリーブ歯Ｓが矢印Ａ方向にシフト移動する際に、スリーブ歯Ｓの端面Ｓ２が左側変速機用歯車Ｗのフランジ８に当接して止まる。この時、スリーブ歯Ｓがセンターの無い拘束されない動きをしながら、スリーブ歯Ｓの端面Ｓ２の僅かな広さがフランジ８の面に当たるだけなので、スリーブ歯Ｓが振れてフランジ８の面との引っ掛かりが浅くなって外れる場合も起こる。そこで、このような外れが生じないように、ドッグクラッチ歯２の歯底面の直径寸法のばらつきを小さく抑えなければならず、ここで歯底面の直径寸法を以下ドッグ小径ｄと定義する。即ち、スリーブ歯Ｓとの引っ掛かりとの関係上、ドッグクラッチ歯２の歯底面９を構成するドッグ小径ｄの寸法公差を０．１５から０．２０ｍｍにする必要がある。相手側のスリーブ歯はセンターの無い拘束されない動きをするので、ドッグ小径ｄの寸法公差がラフであると出っ張るのでスリーブ歯と干渉する。そのため、相手側のスリーブ歯がドッグクラッチ歯と嵌み合わない。なお、第一方法のスピード歯Ｓにおける端面に相手側のスリーブ歯を当接させる場合は、ドッグ小径ｄの寸法公差は１．０から０．８ｍｍ程度までレンジを緩めることができる。変速機用歯車Ｗは熱間鍛造によって外周側のヘリカル歯１の歯列及び内径側のドッグクラッチ歯２の歯列が形成され、同時にドッグクラッチ歯２の歯底面９が形成される。この熱間鍛造の工程だけでは、ドッグクラッチ歯２の歯底面のドッグ小径ｄの寸法公差を０．１５から０．２０ｍｍにすることは非常に困難である。そこで、後工程の冷間コイニング成形を施すことによってドッグ小径ｄの寸法公差を０．１５から０．２０ｍｍに縮めることになる。その際、ドッグ小径ｄの公差を小さくしようとすればするほど、コイニング成形の荷重を上げる必要があり冷間金型ダイスが痛み潰れる等冷間金型ダイスの寿命が低下する。
【０００４】
ところで、ドッグクラッチ歯は機械加工により歯切りするのが一般的であった。しかし、機械加工による歯切りでは、手間がかかり、製造コストが高くなることから、鍛造によりスピード歯と一体で成形し、ドッグクラッチ歯面の仕上げ加工を省くことによりコストダウンを図ることが提案されている。この提案では、変速機用歯車の一側面に設けるドッグクラッチ歯を冷間鍛造により一体的に成形した構造からなっている。即ち、ドッグクラッチ歯が冷間鍛造により一体成形されるので、歯面の仕上げ加工等が不要になり、コストダウンを図れるメリットがある。しかも、ドッグクラッチ歯の全体的な剛性のバランスを図ることができるので、耐久性も向上し、トランスミッションの変速機能を長期間にわたって安定することができる（特許文献１参照）。
【０００５】
一方、変速機用歯車に関し、本件出願人等は沈み無しヘリカルモノブロックに関する次のような提案をしており、本提案は内側のドッグクラッチ歯が外周のヘリカル歯の上端面より沈まない歯車であり、ドッグクラッチ歯とヘリカル歯とを隣り合わせに一体的に鍛造成形して得られた歯車製品である（例えば、特許文献２参照）。一方、鍛造成形による沈みモノブロックに関する次のような提案をしている。即ち、内側のドッグクラッチ歯のチャンファが軸方向に対して外周のヘリカル歯の歯端面より沈んだ歯車ブロック（以下沈みヘリカルモノブロック）である（例えば、特許文献３参照）。
【先行技術文献】
【特許文献】
【０００６】
【特許文献１】特開平０８―３１２６７５号公報
【特許文献２】特開平０５―１８７５２１号公報
【特許文献３】特開２００２−２２２７９６９号公報
【発明の概要】
【発明が解決しようとする課題】
【０００７】
以上の通りであって、特許文献に代表されるように、従来のドッグクラッチ歯には以下のような問題点がある。
【０００８】
マニュアルトランスミッションにおいては、シフト操作時に相手側のスリーブ歯をストップさせる機能が必要である。そのため、変速機用歯車のドッグクラッチ歯における端面にスリーブ歯を当接させる方法が多く採用されている。この場合、相手側のスリーブ歯が振れてドッグクラッチ歯のフランジ面から引っ掛かりが浅くなって外れる場合も起こる。このことを防止するために、ドッグクラッチ歯の歯底面のドッグ小径の公差を狭めて精度を上げる必要がある。そのためには、コイニング成形の荷重を上げるので、冷間コイニングの金型ダイスが痛んで潰れる等冷間金型ダイスの寿命が低下する。また、ドッグ小径を十分に張らせる関係上、ドッグクラッチ歯に逆テーパ加工を施す際、スプラインパンチとのクリアランスが小さくなり、スプラインパンチの命数低下も避けられない。そのため、鍛造成形によってドッグクラッチ歯を量産的に形成することは困難であった。
【０００９】
そこで、本出願発明は以上のような課題に着目してなされたもので、ドッグクラッチ歯の歯底面を構成するドッグ小径の公差をラフにしながらも、シフト操作時に相手側のスリーブ歯をストップさせる機能を有するようにしたものである。そのために、ドッグクラッチ歯の歯底面から僅かに突出した凸部を設けることによって、シフト操作時に相手側のスリーブ歯をこの凸部に当接させるようにしたマニュアルトランスミッションの変速機用歯車を提供することを目的とする。
【課題を解決するための手段】
【００１０】
変速機用歯車は、機械加工によって歯面の加工を施すことが主流であった。そのために、機械加工を容易にするために、ドッグクラッチ歯の周辺の形状をシンプルにすることが通常行われる。しかしながら近年では、鍛造技術の進歩によって様々な形状を鍛造によって形成することが可能となってきた。そこで、本出願発明者は、ドッグクラッチ歯列の中に、歯底面から僅かに突出する凸部を意図的に配置することに着目し、試作したところマニアルトランスミッションにおいてスムーズなシフト操作をできるという知見を得た。本出願発明の変速機用歯車はかかる知見を基に具現化したもので、請求項１の発明は、内側から外周側に向けてコーン、フランジ、ドッグクラッチ歯列、該歯列の歯元面及びヘリカル歯列が、この順に夫々熱間鍛造及び冷間鍛造によって同心円状に一体成形され、前記フランジは前記コーンの外周面に接して設けられると共に、前記コーンは、内周には軸方向に軸孔が貫通し、かつ前記フランジの上面から軸方向上方に突設され、前記ドッグクラッチ歯列の歯底面は、前記フランジの上面の周端部から下方に向けて軸方向と平行に設けられ、前記歯元面は、前記歯底面に接し、軸方向直角に設けられると共に、前記フランジの上面より低く設けられ、前記歯底面における前記フランジの上面寄りに、前記歯底面から外周方向に突出して設けられ、スリーブ歯の端面を当接させてストパー機能を果たす凸部が設けられていることを特徴とする変速機用歯車である。請求項２は、請求項１に記載の特徴に加えて、前記ドッグクラッチ歯列における各ドッグクラッチ歯の間の全てに前記凸部を設けることを特徴とする変速機用歯車である。また、請求項３は、請求項１に記載の特徴に加えて、前記ドッグクラッチ歯列のチャンファの先端が前記ヘリカル歯列の歯端面より軸方向に低いことを特徴とする変速機用歯車である。
【発明の効果】
【００１１】
変速機用歯車におけるドッグクラッチ歯の歯底面を構成するドッグ小径の公差をラフにしても、シフト操作時に相手側のスリーブ歯をストップさせる機能を持たせることができる。そして、ドッグ小径の公差をラフにすることができるので、コイニング成形時の荷重を上げる必要が無く、金型ダイスが痛み潰れないので金型の寿命が延びる。延いては、鍛造によってドッグクラッチ歯を一体成型した変速機用歯車を量産的に製造可能とした。
【図面の簡単な説明】
【００１２】
【図１】本実施例の変速機用歯車の斜視図である。
【図２】同上、製造工程図である。
【図３】同上、熱間鍛造工程において、フランジ部に形成した凸部の断面図である。
【図４】同上、冷間鍛造工程において、歯底面にコイニング成形した凸部の断面図である。
【図５】同上、ドッグクラッチ歯列に形成された凸部の配置図である。
【図６】同上、凸部のストッパ機能を説明する断面図である。
【図７】従来例におけるストッパ機能を説明する断面図である。
【図８】同上、他のストッパ機能を説明する断面図である。
【発明を実施するための形態】
【００１３】
本出願発明の実施の形態を、添付図面に例示した本出願発明の実施例に基づいて以下に具体的に説明する。
【実施例１】
【００１４】
本実施例について、図１〜図５を参照しながら説明する。図１は、本実施例の変速機用歯車の斜視図である。図２は、製造工程図である。図３は、熱間鍛造工程において、フランジ部に形成した凸部の断面図である。図４は、冷間鍛造工程において、歯底面にコイニング成形した凸部の断面図である。図５は、ドッグクラッチ歯列に形成された凸部の配置図である。図６は、凸部のストッパ機能を説明する断面図である。
【００１５】
本出願人は、内側のドッグクラッチ歯が軸方向に対して外周のヘリカル歯の歯端面より沈んだ沈みヘリカルモノブロックを既に開発している。本実施例の変速機用歯車を、この沈みヘリカルモノブロックを例にして図１に基づき説明する。本図ではシングルコーン型の変速機用歯車Ｗの斜視図を示し、外周にスピード歯となる、歯筋が軸方向に対して捩じれたヘリカル歯１の歯列が形成され、この内周に軸方向に向けて逆テーパのドッグクラッチ歯２の歯列が形成される。これらの歯の歯列の間には外周のヘリカル歯１より沈んだ歯元面４が同心円状に形成され、ドッグクラッチ歯２の歯根元２４がこの面上に形成される。ドッグクラッチ歯２の内周側には円錐台状のコーン５が同軸状に突設され、この内周は軸方向に軸孔３が貫通する。なお、このコーン５の円錐台状の周面は冷間鍛造後旋削、熱処理、次いで研削仕上げが施され摩擦面として仕上げられる。以上のように、外周のヘリカル歯１の歯列と歯元面４と内側のドッグクラッチ歯２の歯列及びこの内周側のコーン５が夫々同軸上に熱間鍛造及び冷間鍛造によって一体成形されるとともに、コーン５はドッグクラッチ歯２のチャンファ２３より上方に突設され、かつ、歯元面４はヘリカル歯１とドッグクラッチ歯２との間においてヘリカル歯１の歯端面１４より沈むように同心円状に設けられる。ここで、コーン５の外周面は円錐面の他に円筒面の場合もある。ドーナツ状のフランジ８が直角に下りた外周面にドッグクラッチ歯列のこれらの歯底面９が形成され、この歯底面９にドッグクラッチ歯２の歯列が形成される。ドッグクラッチ歯２において、歯車の各部位の名称を次の通り定義する。ドッグクラッチ歯２は、歯筋方向に歯先面２１、その左右に歯面２２、２２、先端が尖ったチャンファ２３、歯元面４から立ち上がるドッグクラッチ歯２の歯根元２４、歯底面９に形成される歯底元２５から構成される。一方、外周のヘリカル歯１は、歯筋方向に歯先面１１、その左右に歯面１２、１２、これらを立ち上げる歯底面１３及び歯筋方向上下の歯端面１４、１４及び歯元１６から構成される。以上、変速機用歯車Ｗの構成を以下にまとめる。内周側から軸方向に円筒状にコーン５が突出し、この外周根元にフランジ８が同心状に形成され、このフランジ８の外周が軸方向直角に下りて歯底面９として同心、円筒面に形成される。この歯底面９のフランジ８の上面寄りにおいて、各ドッグクラッチ歯２の歯列の間に凸部９１が歯底面９から外周へ向けて僅かに突出して形成される。円筒面の歯底面９の根元においてこの歯底面９と直角に同心円状の歯元面４が沈み形成され、この歯元面４の面上にドッグクラッチ歯２の歯根元２４が形成される。そして、ドッグクラッチ歯２の先端が尖ったチャンファ２３の先端は、軸方向で外周側のヘリカル歯１の歯端面１４より低い。本実施例の特徴は、円筒面である歯底面９のフランジ８の上面寄りにおいて、各ドッグクラッチ歯２の歯列の間に外周へ僅かに突出して凸部９１が形成されることにある。
【００１６】
本実施例の変速機用歯車の製造プロセスを、沈みヘリカルモノブロックを例にして図２の工程図に基づき説明する。先ず、工程（１）に示すように、変速機用歯車に適した円柱素材を所定の軸長に例えばビレットシャーによって切断した素材Ｗ１を得る。この場合、素材の材質として変速機用歯車に適した鋼材、例えば、ＳＣ鋼、ＳＣＲ鋼、ＳＣＭ鋼、ＳＮＣ鋼、ＳＮＣＭ鋼等を使用することができる。次に、工程（２）に示すように、素材Ｗ１を例えば１１５０℃に加熱して熱間鍛造を施すことによって下側に出っ張った凸部Ｗ２１を有する円盤状の素材Ｗ２を得る。次に、工程（３）に示すように、素材Ｗ２上段の大径部Ｄ１の部位に熱間鍛造を施して軸方向に対して捩じれた荒ヘリカル歯１０が荒形成され、同時に下段の小径部Ｄ２の部位にコーン５０を形成するとともに外周の荒ヘリカル歯１０と内周のコーン５０との間に同心円上に荒歯元面４０が形成される。その他、コーン５０の内周に断面円形に凹んだ内径部Ｗ３１が形成され、外歯の荒ヘリカル歯１０の形成によって上面外周に円板状にはみ出し鍔状のバリＷ３２を有する素材Ｗ３が得られる。この時、コーン５０の裾には平坦なフランジ８０がドーナツ状に形成される。ここで、外歯はヘリカル歯の他にスパー歯でもよく、以降の説明でも同様である。次に、工程（４）に示すように、同じく熱間鍛造によってコーン５０の外周に凹んだ歯元面４を仕上げ形成し、同時にこの底面に歯根元が立設する荒ドッグクラッチ歯２０がストレート状に形成された素材Ｗ４を得る。この時、フランジ８０の面において、荒ドッグクラッチ歯２０の歯列の各荒ドッグクラッチ歯の間に凸部８１が突起するように形成され、この詳細は後述する図３において説明する。この凸部８１が荒ドッグクラッチ歯２０の歯列の全周に亘って形成されることが本実施例の特徴である。同時に、ドッグクラッチ荒歯２０の歯列の歯底面９０が形成される。次に、工程（５）に示すように、素材Ｗ４の上面のバリＷ３２を旋削し除去するとともに、内径部Ｗ３１の中バリを打ち抜いて荒軸孔３０が貫通した素材Ｗ５を得る。次に工程（６）において、素材Ｗ５に焼きならしの熱処理、ショットブラスト処理及び潤滑剤を塗布するボンデライト処理を施して素材Ｗ６を得る。次いで工程（７）において、外周の荒ヘリカル歯１０は冷間しごき成形によって歯面の傾斜がストレートに仕上げ形成される。一方、内周の荒ドッグクラッチ歯２０はコイニング或いはサイジング処理を施すことによって歯面がストレートに形成され、かつ、歯先にチャンファが形成された素材Ｗ７を得る。この時、コーン５０の裾には平坦なフランジ８０がドーナツ状に形成される。次の工程（８）において、外側の荒ヘリカル歯に冷間しごき成形によって歯面にクラウニングが施され、かつ、歯端面の稜線部にＲ面取りが施されてヘリカル歯１が完成する。最後に工程（９）において、工程（７）でストレートに成形された荒ドッグクラッチ歯に、チャンファから歯根元に向かって細くなるように冷間コイニング成形が施されて逆テーパ状のドッグクラッチ歯２が完成する。この時、ドッグクラッチ歯２の歯列の歯底面９が仕上げ形成される。同時に、ドッグクラッチ歯２の歯列の歯底面９において、各ドッグクラッチ歯の間に凸部９１が突起するように形成され、この詳細は後述する図４において説明する。この凸部９１がドッグクラッチ歯２の歯列の全周に亘って形成されることが本実施例の特徴である。以上の工程をまとめると、工程（２）、（３）、（４）及び（５）は熱間鍛造であり、工程（７）、（８）及び（９）は冷間しごき或いは冷間コイニング成形による冷間鍛造である。
【００１７】
ここで、工程（４）の詳細について図３を参照しながら補足する。この工程では、熱間鍛造によって荒ドッグクラッチ歯２０が軸方向にストレート状に形成される。同時に、フランジ８０の荒ドッグクラッチ歯２０寄りにおいて、荒ドッグクラッチ歯２０の歯列の間に位置決めされるように、フランジ８０の面から軸方向に向けて僅かに突出した凸部８１が全周に形成される。この凸部８１は、後の冷間鍛造工程におけるコイニング代となる。
【００１８】
次に、工程（９）の詳細について図４を参照しながら補足する。この工程では、冷間しごき成形が施されて軸方向に逆テーパ状のドッグクラッチ歯２が完成する。工程（４）において形成されフランジ８０の面から軸方向に向けて僅かに突出した凸部８１に、本工程（９）において冷間コイニング鍛造を施す。この時、小さい荷重を掛けるだけで凸部８１を歯底面９へと押し出し移動することができる。その結果、ドッグクラッチ歯２の歯列の各歯の間に、歯底面９の面から外周に向けて僅かに突出した状態で、凸部９１が歯底面９のフランジ８の上面寄りに形成される。ここで、凸部９１は、相手側のスリーブ歯Ｓとの関係で決まる最小噛合いインボリュート径（ＴＩＦ径）より下に配設されるので、ドッグクラッチ歯２はスリーブ歯Ｓと干渉することなく嵌め合うことになる。
【００１９】
以上の工程を経て凸部９１は、歯底面９の面から外周に向けて僅かに突出して形成される。    この状態を図５に示す平面図を参照しながら説明する。同図（ａ）では、ドッグクラッチ歯２の歯底面９において、凸部９１が歯列の間の全周に亘って形成され、外周のヘリカル歯の詳細は省略した。この記号Ｂ部位を拡大して同図（ｂ）に示す。歯底面９の面にドッグクラッチ歯２の歯列が形成され、これらの隣り合うドッグクラッチ歯２の間に凸部９１が全周に亘って形成される。なお、嵌合する相手側のスリーブ歯Ｓの突き出る端面Ｓ２は、全周に亘って形成される場合もあり、或いは１２０度の間隔で形成される場合がある。そこで、どちらでも使えるように、ドッグクラッチ歯２側では、凸部９１を歯列の全周に亘って形成する。
【００２０】
本実施例の変速機用歯車におけるドッグクラッチ歯は以上のように構成され、以下にドッグクラッチ歯の歯列に形成される凸部の作用について説明する。
【００２１】
マニュアルトランスミッションに使用される変速機用歯車のドッグクラッチ歯には、シフト操作時に相手側のスリーブ歯をストップさせる機能が必要であり、図６を参照しながら本実施例の凸部９１の作用について説明する。同図（ａ）の左側が変速機用歯車Ｗで、右側が相手側のスリーブ歯Ｓである。左側の変速機用歯車Ｗの外周には、スピード歯のヘリカル歯１の歯列が設けられ、内径側には相手側のスリーブ歯と噛合うドッグクラッチ歯２の歯列が設けられる。そして、ドッグクラッチ歯２の歯列の上端面は内径側にフランジ８の面がドーナツ状に形成される。同図（ｂ）では、ドッグクラッチ歯２の間に形成した凸部９１の部位を断面図で示す。右側のスリーブ歯Ｓの左端には端面Ｓ２を有し、スリーブ歯Ｓが矢印Ａ方向にシフト移動する際に、スリーブ歯Ｓの端面Ｓ２が左側ドッグクラッチ歯２の凸部９１に当接して止まる。この時、スリーブ歯Ｓがセンターの無い拘束されない動きをしながらも、凸部９１がドッグクラッチ歯２の歯底面９より突出しているので、必ずスリーブ歯Ｓの端面Ｓ２が凸部９１に当接する。このようにして、ドッグクラッチ歯２の間に形成した凸部９１は、シフト操作時には相手側のスリーブ歯をストップさせる機能を有する。仮に、凸部９１を設けない場合、ストップさせる機能としては、スリーブ歯Ｓの端面Ｓ２の僅かな広さがフランジ８の面に当たるだけなので、センターの無い動きをするスリーブ歯Ｓが振れてフランジ８の面から引っ掛かりが浅くなって外れる。そこで、このことを防ぐために、スリーブ歯Ｓとの引っ掛かりの関係上ドッグクラッチ歯２の歯底面を構成するドッグ小径ｄの寸法公差を０．１５から０．２０ｍｍに精度を上げる必要があり、そのため冷間コイニングダイスに負荷を掛けるので寿命が短縮する。本実施例では、ドッグクラッチ歯２の歯底面９より僅かに突出する凸部９１を設けるので、ドッグ小径ｄの寸法公差の精度を上げる必要がない。熱間鍛造で形成された凸部８１を、冷間のコイニング成形を施すことによって押し出し移動させ、凸部９１を形成する。その際、しかもコイニング成形の荷重を小さくできるので冷間ダイスに負荷がかからない。また、相手側のスリーブ歯Ｓに対するストッパ機能を持たせながらドッグクラッチ歯２の逆テーパ成形に関係する部位には十分なクリアランスを確保できるため、スプラインパンチの命数の影響が小さい。このようにして、鍛造成形によってドッグクラッチ歯を量産的に形成することを実現した。
【００２２】
また、本実施例では、沈みヘリカルモノブロック歯車として、鍛造によってドッグクラッチ歯のチャンファが外周のヘリカル歯の歯端面より低く沈むように形成するので、変速機用歯車の軸方向の全長を短小化でき、延いてはトランスミッションのギヤボックスをコンパクトにできる。即ち、ドッグクラッチ歯の歯根元を沈んだ歯元面に形成すれば変速機用歯車の有効長を稼ぐことができ、変速機用歯車全長を１５ｍｍから２０ｍｍ程度縮小することができる。
【符号の説明】
【００２３】
Ａ  矢印
Ｂ  記号
ｄ  ドッグ小径
Ｒ  レバー
Ｓ  スリーブ歯、Ｓ１  端部、Ｓ２  端部
Ｗ  変速機用歯車
Ｗ１、Ｗ２、Ｗ３、Ｗ４、Ｗ５、Ｗ６、Ｗ７、Ｗ８  素材
Ｗ２１  凸部、Ｗ３１  内径部、Ｗ３２  端面バリ、Ｗ３３  中バリ
１  ヘリカル歯、１０  荒ヘリカル歯
１１  歯先面、１２  歯面、１３  歯底面、１４  歯端面、１６  歯元
２  ドッグクラッチ歯、２０  荒ドッグクラッチ歯
２１  歯先面
２２  歯面
２３  チャンファ、２４  歯根元、２５  歯底元
３  軸孔、３０  荒軸孔
４  歯元面、４０  荒歯元面
５  コーン、５０  荒コーン
８  フランジ、８１  凸部
９  歯底面、９１  凸部
【図１】
0005657502.tif 000002
【図２】
0005657502.tif 000003
【図３】
0005657502.tif 000004
【図４】
0005657502.tif 000005
【図５】
0005657502.tif 000006
【図６】
0005657502.tif 000007
【図７】
0005657502.tif 000008
【図８】
0005657502.tif 000009